(57)【要約】      （修正有）【課題】医療機器など確実な電源供給の必要性の高い機器において、電源ケーブルの断線の有無を簡易にかつ確実に検査することのできる、ケーブル断線チェッカーを提供する。【解決手段】ケーブル断線チェッカー１０は、ケーブルＣの断線有無を試験するための装置であって、電源部２と、ケーブルＣの各端子（被験端子）Ｃａ、Ｃｂ用の各テスト端子３ａ、３ｂと、断線有無を表示する表示部４とを備えたチェッカー本体１を備えて構成され、テスト端子３ａ、３ｂは被験端子Ｃａ、Ｃｂに対応したコンセント型である。【選択図】図１
2015232527.tif 000002
【特許請求の範囲】
【請求項１】
電源ケーブルまたは電源コード（以下、「ケーブル」という。）の断線有無を試験するための断線チェッカーであって、電源部と、該ケーブルの各端子（以下、「被験端子」という。）用のテスト端子と、断線有無を表示する表示部とを備えたチェッカー本体を備えて構成され、該テスト端子は該被験端子に対応したコンセント型であることを特徴とする、ケーブル断線チェッカー。
【請求項２】
試験中、前記ケーブルを保持しておくための保持手段を備えていることを特徴とする、請求項１に記載のケーブル断線チェッカー。
【請求項３】
前記保持手段は、前記ケーブルを掛け渡すための掛け渡し部、および該掛け渡し部を支持する支持部を備えて構成されていることを特徴とする、請求項２に記載のケーブル断線チェッカー。
【請求項４】
前記掛け渡し部は、横方向に設けられた棒体であることを特徴とする、請求項３に記載のケーブル断線チェッカー。
【請求項５】
前記掛け渡し部は、鈎状体であることを特徴とする、請求項３に記載のケーブル断線チェッカー。
【請求項６】
断線有無の試験開始のための電源スイッチを備えていることを特徴とする、請求項１ないし５のいずれかに記載のケーブル断線チェッカー。
【請求項７】
所定条件による断線有無の試験を実行するための演算処理部を備えていることを特徴とする、請求項１ないし６のいずれかに記載のケーブル断線チェッカー。
【請求項８】
断線有無の試験の条件設定を入力するための入力部を備えていることを特徴とする、請求項６または７に記載のケーブル断線チェッカー。
【請求項９】
断線有無の試験の条件として、下記（Ａ）の一部または全部が設定されているか、または設定入力可能であることを特徴とする、請求項１ないし８のいずれかに記載のケーブル断線チェッカー。
（Ａ）  １回あたりの試験回数、断線判断の抵抗値、相ごとの断線判断の有無、表示方法
【請求項１０】
試験データを外部に移行させるための出力手段または通信手段を備えていることを特徴とする、請求項１ないし９のいずれかに記載のケーブル断線チェッカー。
【請求項１１】
半断線検知のために、前記ケーブルに物理的負荷をかける負荷手段を備えていることを特徴とする、請求項１ないし１０のいずれかに記載のケーブル断線チェッカー。
【請求項１２】
前記負荷手段は、前記ケーブルを把持する把持部と、該把持部を運動させる駆動部とを備えて構成されることを特徴とする、請求項１１に記載のケーブル断線チェッカー。
【請求項１３】
前記負荷手段は、試験中に前記ケーブルを保持しておくための保持手段と、該保持手段に該ケーブルへの物理的負荷を付与せしめる駆動部とを備えて構成されることを特徴とする、請求項１１に記載のケーブル断線チェッカー。
【請求項１４】
前記テスト端子には、前記被検端子の挿入面にてこ作用してこれを起こし上げる被検端子起こし抜き構造が併設されていることを特徴とする、請求項１ないし１３のいずれかに記載のケーブル断線チェッカー。
【請求項１５】
医療機器、診断用機器、検査用機器、監視用機器、または手術用機器のケーブルの断線有無試験用であることを特徴とする、請求項１ないし１４のいずれかに記載のケーブル断線チェッカー。
【請求項１６】
複数の前記ケーブルを同時に試験可能なよう多系統に構成されていることを特徴とする、請求項１ないし１５のいずれかに記載のケーブル断線チェッカー。
【請求項１７】
一の前記ケーブルを試験する一系統に構成されていることを特徴とする、請求項１ないし１５のいずれかに記載のケーブル断線チェッカー。
【発明の詳細な説明】
【技術分野】
【０００１】
本発明はケーブル断線チェッカー係り、特に、医療機器など確実な電源供給の必要性の高い機器において、電源ケーブルの断線の有無を簡易に検査することのできる、ケーブル断線チェッカーに関するものである。
【背景技術】
【０００２】
総合病院等の医療現場においては、医療機器、診断用機器、検査用機器、監視用機器、または手術用機器など、種々の電気機器が用いられる。これらの機器を安全に供用するために、電源ケーブルが断線していないかどうかを確認することは、重要な業務である。しかし、かかる業務を、機器を主として取扱う看護師等が、その日常業務の中において確実かつ効率的に行うことは、決して容易なことではない。そのため従来は、電気分野に詳しい専門の技術者がこの作業を行うことが通常である。
【０００３】
さて、電源ケーブル等の検査技術に関しては、従来複数の技術的提案がなされている。たとえば後掲特許文献１には、小型軽量で持ち運び性が優れ、しかも配線検査を容易に、且つかつ迅速に行えるケーブル配線検査装置として、検査対象ケーブル単体の端子またはコネクタ付ケーブルアセンブリーのコネクタを電気的に接続することができる本体コネクタと、これに電気的に接続してケーブル単体等の導体断線の有無、配線もれの有無、同一対や他対間のテレコの有無、同一対の短絡の有無等のケーブル検査をすることができるチェッカ本体とからなる装置であって、チェッカ本体は、電流が一方向しか流れないダイオードと、正常時には点灯、異常時には消灯する信号ＬＥＤと、検査目的に応じた切り替えスイッチとを備えた電気回路を有する構成が開示されている。
【先行技術文献】
【特許文献】
【０００４】
【特許文献１】特開２００３−３１５４０１号公報「ケーブル配線検査装置」
【発明の概要】
【発明が解決しようとする課題】
【０００５】
さて上述のように、総合病院等の医療現場では、機器の電源ケーブルの検査作業を看護師等が行うことは現実的でないため、ごく限られた人数の技術者がこの作業を兼務している。しかし、施設の規模が大きくなればなるほど当該作業の負担は大きい。実際に機器を使用する看護師等の各自が、この作業を行うことができればよいが、そのためには、簡易な操作によって確実に検査作業を行えることが必要である。かかる問題は、決して医療分野のみに限定されるものではなく、確実な電源供給の必要性の高い機器を用いるあらゆる分野において、共通する問題である。
【０００６】
そこで本発明が解決しようとする課題は、かかる従来技術の問題点を踏まえ、医療機器など確実な電源供給の必要性の高い機器において、電源ケーブルの断線の有無を簡易にかつ確実に検査することのできる、ケーブル断線チェッカーを提供することである。なお以下では、電源ケーブルまたは電源コードを一括して、「ケーブル」と称する。
【課題を解決するための手段】
【０００７】
本願発明者は上記課題について鋭意検討した結果、ケーブルの被験端子に対応したコンセント型のテスト端子を備えたチェッカーとすることによって課題解決できることを見出し、これを基礎として、本発明を完成するに至った。すなわち、上記課題を解決するための手段として本願で特許請求される発明、もしくは少なくとも開示される発明は、以下の通りである。
【０００８】
〔１〕  電源ケーブルまたは電源コード（ケーブル）の断線有無を試験するための断線チェッカーであって、電源部と、該ケーブルの各端子（以下、「被験端子」という。）用のテスト端子と、断線有無を表示する表示部とを備えたチェッカー本体を備えて構成され、該テスト端子は該被験端子に対応したコンセント型であることを特徴とする、ケーブル断線チェッカー。
〔２〕  試験中、前記ケーブルを保持しておくための保持手段を備えていることを特徴とする、〔１〕に記載のケーブル断線チェッカー。
〔３〕  前記保持手段は、前記ケーブルを掛け渡すための掛け渡し部、および該掛け渡し部を支持する支持部を備えて構成されていることを特徴とする、〔２〕に記載のケーブル断線チェッカー。
【０００９】
〔４〕  前記掛け渡し部は、横方向に設けられた棒体であることを特徴とする、〔３〕に記載のケーブル断線チェッカー。
〔５〕  前記掛け渡し部は、鈎状体であることを特徴とする、〔３〕に記載のケーブル断線チェッカー。
〔６〕  断線有無の試験開始のための電源スイッチを備えていることを特徴とする、〔１〕ないし〔５〕のいずれかに記載のケーブル断線チェッカー。
〔７〕  所定条件による断線有無の試験を実行するための演算処理部を備えていることを特徴とする、〔１〕ないし〔６〕のいずれかに記載のケーブル断線チェッカー。
【００１０】
〔８〕  断線有無の試験の条件設定を入力するための入力部を備えていることを特徴とする、〔６〕または〔７〕に記載のケーブル断線チェッカー。
〔９〕  断線有無の試験の条件として、下記（Ａ）の一部または全部が設定されているか、または設定入力可能であることを特徴とする、〔１〕ないし〔８〕のいずれかに記載のケーブル断線チェッカー。
（Ａ）  １回あたりの試験回数、断線判断の抵抗値、相ごとの断線判断の有無、表示方法
〔１０〕  試験データを外部に移行させるための出力手段または通信手段を備えていることを特徴とする、〔１〕ないし〔９〕のいずれかに記載のケーブル断線チェッカー。
〔１１〕  半断線検知のために、前記ケーブルに物理的負荷をかける負荷手段を備えていることを特徴とする、〔１〕ないし〔１４〕のいずれかに記載のケーブル断線チェッカー。
【００１１】
〔１２〕  前記負荷手段は、前記ケーブルを把持する把持部と、該把持部を運動させる駆動部とを備えて構成されることを特徴とする、〔１１〕に記載のケーブル断線チェッカー。
〔１３〕  前記負荷手段は、試験中に前記ケーブルを保持しておくための保持手段と、該保持手段に該ケーブルへの物理的負荷を付与せしめる駆動部とを備えて構成されることを特徴とする、〔１１〕に記載のケーブル断線チェッカー。
〔１４〕  前記テスト端子には、前記被検端子の挿入面にてこ作用してこれを起こし上げる被検端子起こし抜き構造が併設されていることを特徴とする、〔１〕ないし〔１３〕のいずれかに記載のケーブル断線チェッカー。
【００１２】
〔１５〕  医療機器、診断用機器、検査用機器、監視用機器、または手術用機器のケーブルの断線有無試験用であることを特徴とする、〔１〕ないし〔１４〕のいずれかに記載のケーブル断線チェッカー。
〔１６〕  複数の前記ケーブルを同時に試験可能なよう多系統に構成されていることを特徴とする、請求項１ないし１５のいずれかに記載のケーブル断線チェッカー。
〔１７〕  一の前記ケーブルを試験する一系統に構成されていることを特徴とする、〔１〕ないし〔１５〕のいずれかに記載のケーブル断線チェッカー。
【発明の効果】
【００１３】
本発明のケーブル断線チェッカーは上述のように構成されるため、これによれば、医療機器など確実な電源供給の必要性の高い機器において、電源ケーブルの断線の有無を簡易に、かつ確実に検査することができる。したがって、たとえば総合病院等の医療現場においては、膨大な量のケーブル検査作業の全てを、限られた人数の電気分野の専門家たる技術者が行う必要がなくなり、当該作業の負担を大きく軽減することができる。
【００１４】
そして本発明のケーブル断線チェッカーを用いれば、簡易な操作によって、短時間で、確実にケーブル断線の有無を確認する検査作業を行えるため、実際に機器を使用する看護師等の各自においても、容易にこの作業を行うことができる。
【００１５】
また、保持手段を備えた本発明ケーブル断線チェッカーでは、検査時において邪魔になるケーブル本体を一定の形態に保持しておくことができる上、それによって目視検査も容易に行うことができる。また、演算処理部や通信手段等を備えた構成の本発明ケーブル断線チェッカーによれば、操作・取り扱い方法を難しくすることなく、検査および事後の結果利用等の点で作業を高度化することができる。
【００１６】
また本発明のケーブル断線チェッカーでは、断線判断のための抵抗値の設定などをより高精度化して、検査のレベルを一層高めることも、もちろん可能である。また、複数のケーブルを同時に処理するための複数系統仕様とした場合には、業務を効率化できる。一方、一系統のみの仕様として携帯性を高めたり、高精度化を高めた装置としてもよい。
【００１７】
また、ケーブルに物理的負荷をかけるための負荷手段を備えた構成の本発明ケーブル断線チェッカーによれば、ケーブルの半断線をも検知することができ、検査のレベルをより高めることができる。
【図面の簡単な説明】
【００１８】
【図１】本発明のケーブル断線チェッカーの基本的構成例を示す概念図である。
【図２ａ】多系統に構成された本発明ケーブル断線チェッカーの構成例を示す概念図である。
【図２ｂ】多系統に構成された本発明ケーブル断線チェッカーの別の構成例を示す概念図である。
【図３】本発明ケーブル断線チェッカーの構成例を示す説明図である。
【図４】保持手段（受け板型）を備えた本発明ケーブル断線チェッカーの構成例を示す説明図である。
【図５】保持手段（バー型）を備えた本発明ケーブル断線チェッカーの構成例を示す説明図である。
【図６】保持手段（フック型）を備えた本発明ケーブル断線チェッカーの構成例を示す説明図である。
【図７】負荷手段を備えた本発明ケーブル断線チェッカーの構成例を示す要部説明図である。
【図８】負荷手段を備えた本発明ケーブル断線チェッカーの別の構成例を示す説明図である（（ａ）は正面図、（ｂ）は側面図）。
【図９】負荷手段を備えた本発明ケーブル断線チェッカーのまた別構成例を示す説明図である。
【図１０ａ】被検端子起こし抜き構造を備えた本発明ケーブル断線チェッカーの当該構造例を示す説明図である。
【図１０ｂ】図１０ａ中のＸ−Ｘ矢示断面図である。
【図１１】本発明実施例の外観を示す斜視図である。
【図１２】本発明実施例のチェッカー本体の外観を示す斜視図である。
【図１３】本発明実施例の機能構成を示すブロック図である。
【図１４ａ】本発明実施例の使用状態を示す写真図である。
【図１４ｂ】本発明実施例の使用状態でのチェッカー本体を示す写真図である。
【図１５】本発明実施例の外観を示す正六面図である。
【発明を実施するための形態】
【００１９】
以下、本発明をより詳細に説明する。なお本発明を構成する要素である表示部、テスト端子、チェッカー本体その他の各要素が、各図に示される具体的構成に限定されるものではない。
図１は、本発明のケーブル断線チェッカーの基本的構成例を示す概念図である。図示するように本ケーブル断線チェッカー１０は、ケーブル（電源ケーブルまたは電源コード）Ｃの断線有無を試験するための装置であって、電源部２と、ケーブルＣの各端子（被験端子）Ｃａ、Ｃｂ用の各テスト端子３ａ、３ｂと、断線有無を表示する表示部４とを備えたチェッカー本体１を備えて構成され、テスト端子３ａ、３ｂは被験端子Ｃａ、Ｃｂに対応したコンセント型であることを、主たる構成とする。
【００２０】
かかる構成により本発明のケーブル断線チェッカー１０によれば、ケーブルＣの被験端子Ｃａ、Ｃｂは、それぞれに対応したコンセント型に形成されたテスト端子３ａ、３ｂに接続される。これらが接続される前には、本ケーブル断線チェッカー１０は回路が形成されていない状態だが、被験端子Ｃａ、Ｃｂの接続によって回路が形成された状態となる。ここで、電源部２からの電源供給がなされることによって、ケーブルＣに断線が発生していない場合には回路に電流が流れ、表示部４には導通を示す所定の表示がなされる。一方、ケーブルＣに断線が発生している場合には、回路に電流は流れず、表示部４には導通を示す所定の表示がなされず、ケーブルＣの断線が判断される。このようにして本チェッカー１０による断線有無の試験（検査）がなされる。
【００２１】
なお表示部４における表示方法は、断線の有無を識別できるものであればよく、断線の場合に所定の表示がなされ、導通している場合はそれがなされない、というものでもよい。また、たとえば点灯・消灯・色の相違等による視覚的な表示でも、音声による聴覚的な表示でもよい。
【００２２】
また、断線の有無（導通の有無）は、本チェッカー１０に備えられた抵抗における抵抗値の設定により判断するものとすることができるが、判断の閾値をどのようにするかも、用途等に応じて適宜設計可能である。たとえば２０Ωでも、１０Ωでも、５Ωでも、あるいはまた、アース０．１Ω以下を測定可能なような高精度の仕様であってもよい。
【００２３】
本ケーブル断線チェッカー１０は、断線有無の試験開始のための電源スイッチ５を備えた構成としてもよく、またかかる構成が望ましい。この場合、試験（検査）対象のケーブルＣの被検端子Ｃａ等をテスト端子３ａ等に接続し、その後、電源スイッチ５を投入することによって試験を開始し、検査結果を得ることができる。
【００２４】
なおまた、図示した基本構成例は一例であり、本発明ケーブル断線チェッカーの構成は、ケーブルＣの各被検端子Ｃａ等を接続することによって閉回路が形成され、そこにおける導通の有無を試験できる構成である限り、いかなるものでもよく、たとえば表示部４や電源スイッチ５の設置位置も限定されない。
【００２５】
また、テスト端子３ａ、３ｂは、被検端子Ｃａ、Ｃｂに対応するコンセント型である限り、その具体的な形態、仕様は限定されない。なお、テスト端子３ａ等におけるかかる形態や仕様は、本チェッカー１０を使用する上で、できる限り共通化していることが望ましいが、必ずそのような構成であることを要件とするものではない。
【００２６】
図２ａ、２ｂは、多系統に構成された本発明ケーブル断線チェッカーの構成例を示す概念図である。図２ａに示すように本ケーブル断線チェッカー１１０は、複数のケーブルＣ１、Ｃ２、・・・、Ｃｎ等を同時に試験可能なよう、多系統に構成されている。すなわち、テスト端子３１ａならびに３１ｂ、および表示部１４１を備え、電源部１２から電源を得る第１系統、テスト端子３２ａならびに３２ｂ、および表示部１４２を備え、電源部１２から電源を得る第２系統、・・・、テスト端子３ｎａならびに３ｎｂ、および表示部１４ｎを備え、電源部１２から電源を得る第ｎ系統というように構成され、それぞれ、被検端子Ｃ１ａならびにＣ１ｂを備えたケーブルＣ１、被検端子Ｃ２ａならびにＣ２ｂを備えたケーブルＣ２、・・・、被検端子ＣｎａならびにＣｎｂを備えたケーブルＣｎが接続可能である。
【００２７】
設けられる系統数は限定されない。また、図２ａに示した構成例では各系統ごとに電源スイッチ１５１、１５２、・・・１５ｎが設けられているが、電源スイッチ１５１等を設けなくてもよい。また、図２ｂに示したチェッカー２１０の例のように、全系統に対して単一の電源スイッチ１５を設ける構成としてもよい。また、いずれの例でも、構成例は一例であり、本発明ケーブル断線チェッカーの構成は、ケーブルＣ１等の各被検端子Ｃ１ａ等を接続することによって閉回路が形成され、そこにおける導通の有無を試験できる構成である限り、いかなるものでもよく、たとえば表示部１４１等や、設ける場合の電源スイッチ１５、１５１等の設置位置も限定されない。
【００２８】
このように多系統に構成されたケーブル断線チェッカー１１０等の場合は、複数のケーブルを同時に処理することができるため、検査業務を効率化することができる。一方、図示しないが、本発明のケーブル断線チェッカーは一系統のみの仕様としても構成可能である。この場合は携帯性、可搬性の高い仕様としやすく、機器の使用現場における随時の検査にも便利である。また、系統数を単一とするため、高精度化を高めた構成にもしやすい。
【００２９】
図３は、本発明ケーブル断線チェッカーの構成例を示す説明図である。実施例等に後述する仕様・形態以外の仕様・形態でも構成可能であることを示すものである。本例では後述する実施例とは異なり、テスト端子３３１ａ等、表示部３４１等および電源スイッチ３５がいずれもチェッカー本体３１の側面に設けられた構成である。かかる構成のチェッカー３１０は、たとえばキャビネットや棚等の所定高さの段に置き、ケーブルを下に垂らした状態で用いるという使用方法も可能である。
【００３０】
図４、５、６はいずれも、保持手段を備えた本発明ケーブル断線チェッカーの構成例を示す説明図である。これらに示すように本ケーブル断線チェッカーは、試験中にケーブルを保持しておくための保持手段を備えた構成とすることができる。
【００３１】
たとえば図４に示した受け板型の例では、被検端子Ｃａの接続されるテスト端子４３１ａの真下に、受け板型の保持手段４０が設けられた構成であり、テスト端子４３１ａに接続されたケーブルＣは、そのまま下方に垂れ下がるのではなく、保持手段４０に掛かった状態で、すなわち保持手段４０によって下方から上方へ保持された状態で垂れ下がる。ケーブルＣは保持手段４０に保持され、自然に下方に垂れ下がるため、試験中も邪魔にならず、かつ目視検査にもしやすい。そして上方支持によって、ケーブルＣに対する一定の重力負荷軽減効果を得られる。また、後述するように、この受け板型の保持手段４０の姿勢を可動とすることで、半断線の試験を可能とする一形態をとることができる。
【００３２】
また、図５に示したバー型の例では、保持手段５４０は、前記ケーブルＣ１を掛け渡すための掛け渡し部５４０２、および掛け渡し部５４０２を支持する支持部５４０１を備えて構成されている。掛け渡し部５４０２は、横方向に設けられた棒体とすることができる。これにより、ケーブルＣ１は掛け渡し部５４０２に掛けられて、その両端の被検端子Ｃ１ａ、Ｃ１ｂが対応するテスト端子に接続され、試験に供される。ケーブルＣ１は棒体形状の掛け渡し部５４０２に掛けられて保持されているため、試験中も邪魔にならず、かつ目視検査にもしやすい。なお図示しないが、掛け渡し部５４０２には、隣接するケーブル間での煩雑さをなくすために、凸構造などのガイドを設けてもよい。
【００３３】
また、図６に示したフック型の例の保持手段６４０では、支持部６４０１に設けられた鉤状体の掛け渡し部６４０２を備えた構成である。これにより、ケーブルＣ１は掛け渡し部６４０２に掛けられて、その両端の被検端子Ｃ１ａ、Ｃ１ｂが対応するテスト端子に接続され、試験に供される。なお、先に被検端子Ｃ１ａ等の接続を行ってから、ケーブルＣ１本体を掛け渡し部６４０２に掛けるようにすることもできる。ケーブルＣ１は鉤状体形状の掛け渡し部６４０２に掛けられて保持されているため、試験中も邪魔にならず、かつ目視検査にもしやすい。
【００３４】
図５に示したバー型の例、図６に示したフック型の例の各保持手段５４０、６４０では、支持部５４０１、６４０１を伸縮可能な構造に形成してもよい。これにより保持手段５４０、６４０の高さを調節し、試験対象のケーブルＣ１等のより適切な保持を行うことができる。
【００３５】
またこれらの例では、ケーブルＣ１本体は上方の掛け渡し部５４０２、６４０２に掛け渡されるため、被検端子Ｃ１ａ、Ｃ１ｂ等に対する重力負荷は大きく軽減することができる。後述するように、ケーブルの半断線はプラグ付近にて発生しやすいと考えられるため、掛け渡し部５４０２等による上方でのケーブル保持は、試験による半断線発生の可能性をなくすことができる。
【００３６】
なお、前掲図３に示した例のように、保持部を設けない構造とすることも本発明の範囲内である。この例では、ケーブルはただ垂れ下げさせるだけである。ただし、ケーブルへの上方支持がないため、保持部付きの本発明チェッカーに比べれば、試験による半断線発生の可能性がないわけではない。したがって、保持部なしの本発明チェッカーではその点に留意して使用すればよい。
【００３７】
図示しないが、本発明ケーブル断線チェッカーは、所定条件による断線有無の試験を実行するための演算処理部、断線有無の試験の条件設定を入力するための入力部、またはその双方を備えた構成とすることができる。また、これらの構成に加えて、あるいはこれらの構成の有無に関わらず、試験データを外部に移行させるための出力手段もしくは通信手段を備えた構成とすることもできる。
【００３８】
そして本ケーブル断線チェッカーは、断線有無の試験の条件として、下記の一部または全部があらかじめ設定された状態に構成されているか、または設定入力可能に構成されたものとすることができる。
（ア）１回あたりの試験回数  例．３回繰り返し試験し、全回「導通」なら「合格」。
（イ）断線判断の抵抗値  例．断線判断の閾値の設定。アース０．１Ω以下等の高精度仕様。抵抗可変とすること。
（ウ）相ごとの断線判断の有無  例．３相の場合、各相における断線の有無を確認。また、現に断線している（導通しない）ケーブルのどの相が断線しているのかの確認。
（エ）表示方法
【００３９】
また、試験条件の設定やデータの保存、履歴管理、保守管理等の目的で、タブレット型パーソナルコンピュータなどの外部機器を付属させたり、あるいは接続・通信可能な構成とすることもできる。
【００４０】
図７、８、９は、負荷手段を備えた本発明ケーブル断線チェッカーの構成例を示す説明図である。まず図７は構成例の要部説明図だが、図示するように本例は、テスト端子７３１ａ等に接続された被検端子Ｃ１ａ等のケーブルＣ１等本体部分を把持する把持部７６と、把持部７６を運動させる駆動部（図示せず）とによる負荷手段を備えたものである。
【００４１】
かかる構成により本例の負荷手段は、駆動部による回転駆動等が把持部支持部７７を介して把持部７６に伝動し、把持部７６により把持されたケーブルＣ１等本体部分が動かされる。これにより、半断線（接触不良）の発生が多いと考えられるプラグ付近が物理的負荷を受け、ケーブルＣ１等に半断線が生じている場合には、この物理的負荷によってそれを検知することが可能となる。
【００４２】
図８には別の構成例を示すが、図中、（ａ）は正面図、（ｂ）は側面図である。図示するように本例は、試験中にケーブルを保持しておくための保持手段８４０に負荷手段としての機能も持たせ、さらに、保持手段（兼負荷手段）８４０にケーブルへの物理的負荷を付与せしめる駆動部（図示せず）を備えた構成である。保持手段（兼負荷手段の作用部）８４０は、支持部８４０１と、これに支持される棒体の掛け渡し部８４０２と、支持部８４０１の一部をなす負荷用可動部８６とからなり、負荷用可動部８６は駆動部によって、上下動、揺動またはその双方が可能であるように構成される。
【００４３】
かかる構成により、ケーブルの掛け渡された掛け渡し部８４０２は、駆動部による負荷用可動部８６の運動を受けて、上下動、揺動またはその双方の運動をする。これによって掛け渡されたケーブルは物理的負荷を受けるため、半断線の有無の試験となり得る。なお本例の場合は、上下動や揺動によってケーブルがテスト端子４３１ａ等から抜けることを防止できる範囲の運動となるよう、設計される。
【００４４】
図９は、図４に示した例に負荷手段を設けた場合のケーブル断線チェッカーを示す説明図である。図示するように本例では、負荷手段は、試験中にケーブルＣを保持しておくための保持手段４６（図４では符号「４０」で示した。）と、保持手段４６にケーブルＣへの物理的負荷を付与せしめる駆動部（図示せず）とを備えて構成される。つまり、受け板状の保持手段４６がケーブルＣに直接作用する機能を兼ねるものである。
【００４５】
かかる構成により、ケーブルＣの保持された保持部４６は、駆動部によって、たとえば図示するように上下に煽るような揺動をする。これによって保持されているケーブルＣは物理的負荷を受けるため、特にプラグ付近において物理的負荷を受けるため、半断線の有無の試験となり得る。なお、半断線のための運動は、保持部４６を上方に揺動するものでも、一方下方に揺動するものでもよい。また、保持部４６を振動させる等、他の運動でもよい。
【００４６】
図１０ａ、１０ｂは、被検端子起こし抜き構造を備えた本発明ケーブル断線チェッカーの当該構造例を示す説明図である。なお図１０ｂは、図１０ａ中のＸ−Ｘ矢示断面図である。これらに示すように本ケーブル断線チェッカーは、テスト端子９３１ａに、被検端子１Ｃａの挿入面にてこ作用してこれを起こし上げる被検端子起こし抜き構造９８が併設されている構成である。被検端子起こし抜き構造９８は、基板９８２に作用部材９８１が取り付けられた構造とすることができる。なお被検端子起こし抜き構造９８は、ケーブル１Ｃａのプラグの端面二ヶ所に作用できるように構成される。図では被検端子起こし抜き構造９８を二ヶ所に設けた構成例を示すが、これに限定されず、単一の力点により二ヶ所の作用点があるように構成しても、もちろんよい。
【００４７】
かかる構成により、試験が終了したケーブル１Ｃａをテスト端子９３１ａから抜く場合に、ケーブル１Ｃａ自体を持って引き抜くのではなく、被検端子起こし抜き構造９８の作用部材９８１を回動させることにより、ケーブル１Ｃａのプラグの端面を起こし、抜くことができる。本発明のケーブル断線チェッカーは、使用状態においては壁面のコンセントや機器のコンセントに対して抜き差しされる被検端子を、コンセント型のテスト端子に抜き差しせしめるものである。したがって、試験終了後ケーブルを抜く際に抜きにくい場合があり得る。しかし、被検端子起こし抜き構造を備えることで、かかる問題は解消することができる。
【実施例】
【００４８】
以下、本発明の実施例を説明するが、本発明がこれらの実施例に限定されるものではない。
図１１〜１５は、本発明実施例を示す図であり、図１１は外観を示す斜視図、図１２はチェッカー本体の外観を示す斜視図、図１３は機能構成を示すブロック図、図１４ａは使用状態を示す写真図、図１４ｂは使用状態でのチェッカー本体を示す写真図、そして、図１５は外観を示す正六面図である。
【００４９】
本実施例のケーブル断線チェッカー１０１０は、非専門技術者であっても断線有無の試験（検査）を簡単に、かつ短時間で行うことができ、その有用性が確認された。なお本実施例は、写真図に示すように床の上に置いて使用してもよいが、たとえばワゴン等に載せて可搬性の状態で使用してもよい。あるいはまた、棚上においたり、壁面に固定して使用するタイプの設計も可能である。
【産業上の利用可能性】
【００５０】
本発明のケーブル断線チェッカーによれば、医療機器、診断用機器、検査用機器、監視用機器、または手術用機器といった医療分野はいうに及ばず、確実な電源供給の必要性の高い機器を使用する全分野において、電源ケーブルの断線の有無を簡易に、かつ確実に検査することができる。たとえば医療現場においては、膨大な量のケーブル検査作業の全てを、限られた人数の電気分野の専門家たる技術者が行う必要がなくなり、当該作業の負担を大きく軽減することができる。また、医療機器アースの規格を外れているような場合であっても、ケーブルの断線有無を検査できるチェッカーを提供することができる。したがって関連する全産業分野において、産業上利用性が高い発明である。
【符号の説明】
【００５１】
１、１１、２１、３１、４１、５１、６１、８１…チェッカー本体
２、１２…電源部
３ａ、３ｂ、３１ａ、３１ｂ、３２ａ、３２ｂ、３ｎａ、３ｎｂ、３３１ａ、３３１ｂ、３３２ａ、３３２ｂ、３３ｎａ、３３ｎｂ、４３１ａ、７３１ａ、７３２ａ、７３３ａ、９３１ａ…テスト端子
４、１４１、１４２、１４ｎ、３４１、３４２、３４ｎ…表示部
５、１５、１５１、１５２、１５ｎ、３５…電源スイッチ
１０、１１０、２１０、３１０、４１０、５１０、６１０、８１０…ケーブル断線チェッカー
４０…保持手段（受け板型）
４６…保持手段（兼  負荷手段の作用部）
５４０…保持手段（バー型）
５４０１…支持部
５４０２…掛け渡し部（棒体）
６４０…保持手段（フック型）
６４０１…支持部
６４０２…掛け渡し部（鉤状体）
７６…把持部
７７…把持部支持体
８４０…保持手段（兼  負荷手段の作用部）
８４０１…支持部
８４０２…掛け渡し部（棒体）
８６…負荷用可動部
９８…被検端子起こし抜き構造
９８１…作用部材
９８２…基板
Ｃ、Ｃ１、Ｃ２、Ｃｎ…ケーブル（電源ケーブルまたは電源コード）
Ｃａ、Ｃｂ、Ｃ１ａ、Ｃ１ｂ、Ｃ２ａ、Ｃ２ｂ、Ｃ３ａ、Ｃｎａ、Ｃｎｂ、１Ｃａ…被験端子
【００５２】
１０１…チェッカー本体
１０２…測定開始スイッチ
１０３１ａ、１０３１ｂ、１０３２ａ、１０３２ｂ…テスト端子
１０４０…保持手段
１０４０２…掛け渡し部
１０４１、１０４２…表示部
１０５…電源スイッチ
１０８…ＵＳＢポート
１０９…ＤＣジャック
１０１０…ケーブル断線チェッカー
Ｃ１０、Ｃ２０、Ｃ３０、Ｃ４０…ケーブル
Ｃ１０ａ、Ｃ１０ｂ…被験端子
【図１】
2015232527.tif 000003
【図２ａ】
2015232527.tif 000004
【図２ｂ】
2015232527.tif 000005
【図３】
2015232527.tif 000006
【図４】
2015232527.tif 000007
【図５】
2015232527.tif 000008
【図６】
2015232527.tif 000009
【図７】
2015232527.tif 000010
【図８】
2015232527.tif 000011
【図９】
2015232527.tif 000012
【図１０ａ】
2015232527.tif 000013
【図１０ｂ】
2015232527.tif 000014
【図１１】
2015232527.tif 000015
【図１２】
2015232527.tif 000016
【図１３】
2015232527.tif 000017
【図１４ａ】
2015232527.tif 000018
【図１４ｂ】
2015232527.tif 000019
【図１５】
2015232527.tif 000020